(57)【要約】【課題】  強度の高いフレキシブル基板、及び、タッチパネルを提供する。【解決手段】  フレキシブルコネクタは、第１フレキシブルフィルムと、前記第１フレキシブルフィルムに積層され、一端がタッチパネルの第１電極又は第２電極のいずれか一方に接続される第１配線層と、第２フレキシブルフィルムと、前記第２フレキシブルフィルムに積層され、一端が前記第１電極又は前記第２電極のいずれか他方に接続される第２配線層と、前記第１フレキシブルフィルムと前記第２フレキシブルフィルムとの間を接着する接着層と、前記第１配線層に積層され、前記第１配線層の両端を露出させる第１カバーフィルムと、前記第２配線層に積層され、前記第２配線層の両端を露出させる第２カバーフィルムとを含む。【選択図】図１０
2013041476.tif 000002
【特許請求の範囲】
【請求項１】
第１フレキシブルフィルムと、
前記第１フレキシブルフィルムに積層され、一端がタッチパネルの第１電極又は第２電極のいずれか一方に接続される第１配線層と、
第２フレキシブルフィルムと、
前記第２フレキシブルフィルムに積層され、一端が前記第１電極又は前記第２電極のいずれか他方に接続される第２配線層と、
前記第１フレキシブルフィルムと前記第２フレキシブルフィルムとの間を接着する接着層と、
前記第１配線層に積層され、前記第１配線層の両端を露出させる第１カバーフィルムと、
前記第２配線層に積層され、前記第２配線層の両端を露出させる第２カバーフィルムと
を含む、フレキシブルコネクタ。
【請求項２】
前記第１配線層及び前記第２配線層の前記一端側において、前記第１フレキシブルフィルムと前記第２フレキシブルフィルムとの間に配設される補強部をさらに含む請求項１記載のフレキシブルコネクタ。
【請求項３】
前記第１フレキシブルフィルム、前記第２フレキシブルフィルム、又は前記接着層の厚さは、前記フレキシブルコネクタの厚さが前記タッチパネルの前記第１電極と前記第２電極の間隔に合うように調整されている、請求項１又は２記載のフレキシブルコネクタ。
【請求項４】
前記補強部は、前記補強部の前記第１配線層及び前記第２配線層の前記一端とは反対側の端部において、前記第１配線層及び前記第２配線層の幅方向に形成される面取り部を有する、請求項１乃至３のいずれか一項記載のフレキシブルコネクタ。
【請求項５】
前記補強部の前記第１配線層及び前記第２配線層の前記一端とは反対側の端部は、平面視において、前記第１カバーフィルム及び前記第２カバーフィルムと重複する重複部を有する、請求項１乃至４のいずれか一項記載のフレキシブルコネクタ。
【請求項６】
前記補強部の前記第１配線層及び前記第２配線層の前記一端とは反対側の端部は、前記第１配線層及び前記第２配線層の幅方向に対して、平面視で曲線状に形成される、請求項１乃至５のいずれか一項記載のフレキシブルコネクタ。
【請求項７】
請求項１乃至６のいずれか一項記載のフレキシブルコネクタと、
前記第１電極が第１基板上に形成された第１電極基板と、
前記第２電極が第２基板上に形成された第２電極基板と
を含むタッチパネル。
【請求項８】
前記第１電極は、複数の導電領域に分割された第１導電膜である、請求項７記載のタッチパネル。
【発明の詳細な説明】
【技術分野】
【０００１】
本発明は、フレキシブル基板、及び、タッチパネルに関する。
【背景技術】
【０００２】
タッチパネルは、ディスプレイに直接入力をすることが可能な入力デバイスであり、ディスプレイの前面に設置して使用される。このタッチパネルは、ディスプレイにより視覚的にとらえた情報に基づき、直接入力することができることから、様々な用途において普及している。
【０００３】
このようなタッチパネルとしては、抵抗膜方式が広く知られている。抵抗膜方式のタッチパネルは、透明導電膜が形成された上部電極基板及び下部電極基板において、各々の透明導電膜同士が対向するように設置し、上部電極基板の一点に力を加えることにより各々の透明導電膜同士が接触し、力の加えられた位置の位置検出を行うことができるものである。
【０００４】
タッチパネルの上部電極基板の透明導電膜と下部電極基板の透明導電膜は、例えば、フレキシブル基板製の配線を介して、接触のあった位置の座標を検出する座標検出部に接続されている。
【０００５】
フレキシブル基板としては、種々のものがある（例えば、特許文献１参照）。
【先行技術文献】
【特許文献】
【０００６】
【特許文献１】特開平０７−２８８３７１号公報
【発明の概要】
【発明が解決しようとする課題】
【０００７】
ところで、タッチパネルは、設置スペースの限られた場所に設置されることがある。例えば、スマートフォンや小型のゲーム機等の電子装置に用いられる場合がその典型である。
【０００８】
スペースが限られている場合には、フレキシブル基板製の配線が大きく折り曲げられることがある。
【０００９】
このような場合に、従来のフレキシブル基板は、十分な強度を有していないという過大があった。
【００１０】
本発明は、強度の高いフレキシブル基板、及び、タッチパネルを提供することを目的とする。
【課題を解決するための手段】
【００１１】
本発明の一観点によるフレキシブルコネクタは、第１フレキシブルフィルムと、前記第１フレキシブルフィルムに積層され、一端がタッチパネルの第１電極又は第２電極のいずれか一方に接続される第１配線層と、第２フレキシブルフィルムと、前記第２フレキシブルフィルムに積層され、一端が前記第１電極又は前記第２電極のいずれか他方に接続される第２配線層と、前記第１フレキシブルフィルムと前記第２フレキシブルフィルムとの間を接着する接着層と、前記第１配線層に積層され、前記第１配線層の両端を露出させる第１カバーフィルムと、前記第２配線層に積層され、前記第２配線層の両端を露出させる第２カバーフィルムとを含む。
【００１２】
また、前記第１配線層及び前記第２配線層の前記一端側において、前記第１フレキシブルフィルムと前記第２フレキシブルフィルムとの間に配設される補強部をさらに含んでもよい。
【００１３】
また、前記第１フレキシブルフィルム、前記第２フレキシブルフィルム、又は前記接着層の厚さは、前記フレキシブルコネクタの厚さが前記タッチパネルの前記第１電極と前記第２電極の間隔に合うように調整されていてもよい。
【００１４】
また、前記補強部は、前記補強部の前記第１配線層及び前記第２配線層の前記一端とは反対側の端部において、前記第１配線層及び前記第２配線層の幅方向に形成される面取り部を有していてもよい。
【００１５】
また、前記補強部の前記第１配線層及び前記第２配線層の前記一端とは反対側の端部は、平面視において、前記第１カバーフィルム及び前記第２カバーフィルムと重複する重複部を有していてもよい。
【００１６】
また、前記補強部の前記第１配線層及び前記第２配線層の前記一端とは反対側の端部は、前記第１配線層及び前記第２配線層の幅方向に対して、平面視で曲線状に形成されていてもよい。
【００１７】
本発明の一観点によるタッチパネルは、前記いずれか一項記載のフレキシブルコネクタと、前記第１電極が第１基板上に形成された第１電極基板と、前記第２電極が第２基板上に形成された第２電極基板とを含む。
【００１８】
また、前記第１電極は、複数の導電領域に分割された第１導電膜であってもよい。
【発明の効果】
【００１９】
本発明によれば、強度の高いフレキシブル基板、及び、タッチパネルを提供することができる。
【図面の簡単な説明】
【００２０】
【図１】比較例のタッチパネルの斜視図である。
【図２】比較例のタッチパネルの断面の概要図である。
【図３】比較例の４線式のタッチパネルにおける接触位置を検出する原理を示す図である。
【図４】比較例の５線式のタッチパネルにおける接触位置を検出する原理を示す図である。
【図５】比較例のタッチパネルの上部電極基板の構造図である。
【図６】比較例のタッチパネルの下部電極基板における構造図である。
【図７】比較例のタッチパネルの断面図である。
【図８】比較例のタッチパネルの説明図である。
【図９】比較例のフレキシブル基板２６０を示す図である。
【図１０】比較例の５線式のタッチパネル用のフレキシブル基板を示す図である。
【図１１】実施の形態１のフレキシブル基板１００を示す図である。
【図１２】実施の形態１の第１変形例によるフレキシブル基板１００Ａの断面構造を示す図である。
【図１３】実施の形態１の第２変形例による補強部１２０Ｃの平面構造を示す図である。
【図１４】実施の形態２の５線式のタッチパネル用のフレキシブル基板を示す図である。
【発明を実施するための形態】
【００２１】
以下、本発明のフレキシブル基板、及び、タッチパネルを適用した実施の形態について説明する。
【００２２】
実施の形態のフレキシブル基板、及び、タッチパネルについて説明する前に、図１乃至図４を用いて、比較例のタッチパネルについて説明する。
【００２３】
抵抗膜方式のタッチパネルは、４線式と５線式とに大別することができる。４線式は、上部電極基板又は下部電極基板のどちらか一方にＸ軸の電極が設けられており、他方にＹ軸の電極が設けられている。一方、５線式は、下部電極基板にＸ軸の電極及びＹ軸の電極がともに設けられており、上部電極基板は、電圧を検出するためのプローブとして機能するものである。
【００２４】
図１及び図２に基づきタッチパネルについて説明する。図１は、タッチパネルの斜視図であり、図２は、タッチパネルの断面の概要図である。
【００２５】
図１及び図２に示すタッチパネル２００は、４線式又は５線式のタッチパネルである。タッチパネル２００が４線式であっても５線式であっても外観は略同一であるため、ここでは４線式のタッチパネルについても５線式のタッチパネルについても符号２００を用いる。
【００２６】
タッチパネル２００は、上部電極基板となる一方の面に透明導電膜２３０の形成されたフィルム２１０と、下部電極基板となる一方の面に透明導電膜２４０の形成されたガラス基板２２０とを含み、透明導電膜２３０及び透明導電膜２４０が対向するようにスペーサ２５０を介し設置されている。タッチパネル２００と不図示のホストコンピュータとはフレキシブル基板（ＦＰＣ:Flexible Printed Circuit）２６０により電気的に接続されている。
【００２７】
タッチパネル２００が４線式である場合は、図３（Ａ）に示すように、透明電極２３０の端部の向かい合う２辺に設けられた電極２３１、２３２と、透明導電膜２４０の端部の向かい合う２辺に設けられた電極２４１、２４２とにより、Ｘ軸方向、Ｙ軸方向に交互に電圧を印加し、透明導電膜２３０と透明導電膜２４０とが、接触位置Ａ点において接触することにより、図３（Ｂ）に示すように、透明導電膜２３０を介し電位Ｖａを検出し、Ｘ軸方向及びＹ軸方向の各々の座標位置を検出する。
【００２８】
また、タッチパネル２００が５線式である場合は、図４（Ａ）に示すように、透明導電膜２４０の端部の４辺に設けられた電極２４１、２４２、２４３、２４４により、Ｘ軸方向、Ｙ軸方向に交互に電圧を印加し、透明導電膜２３０と透明導電膜２４０とが、接触位置Ａ点において接触することにより、図４（Ｂ）に示すように、透明導電膜２３０を介し電位Ｖａを検出し、Ｘ軸方向及びＹ軸方向の各々の座標位置を検出する。
【００２９】
次に、図５乃至図８を用いて、比較例のマルチタッチ方式のタッチパネルについて説明する。
【００３０】
図５は比較例のタッチパネルの上部電極基板の構造図であり、図６は比較例のタッチパネルの下部電極基板における構造図であり、図７は比較例のタッチパネルの断面図であり、図８は比較例のタッチパネルの説明図である。図５乃至図８に示すタッチパネルは５線式である。
【００３１】
比較例のタッチパネルは、フィルム２１０の一方の面に透明導電膜２３０が形成された略長方形状の上部電極基板１０と、上部電極基板１０と略同じ形状のガラス基板２２０の一方の面に透明導電膜２４０が形成された下部電極基板２０とを含む。
【００３２】
また、タッチパネルは、座標検出回路５０を有する駆動回路５１をさらに含む。なお、図７に示す座標検出回路５０及び駆動回路５１は一例であり、座標検出回路５０及び駆動回路５１の構成は図７に示すものに限られない。
【００３３】
上部電極基板１０と下部電極基板２０とは、上部電極基板１０における透明導電膜２３０と下部電極基板２０における透明導電膜２４０とが対向するように、スペーサ２５０等を介し、接着剤または両面テープにより接合されている。
【００３４】
透明導電膜２３０の各々の導電領域の分割は、導電領域となる領域間の透明導電膜２３０を除去することにより行われる。これにより、分割された導電領域間では電気的に絶縁することができる。各々の分割された透明導電膜２３０は、上部電極基板１０の短手方向の両端に設けられた引出電極部１３における各々の引出電極と接続されており、上部電極基板１０の周囲に配線され、上部電極基板１０の長手方向の一方の端部においてフレキシブル基板２６０と接続されている。フレキシブル基板２６０の端部には、端子２６０Ａが接続されている。端子２６０Ａは、座標検出回路５０を含む駆動回路５１（図７参照）に接続される。
【００３５】
フレキシブル基板２６０は、図５に示す側の面と、図６に示す側の面との両方に配線が形成されており、端子２６０Ａは両面に端子がある両接点型の端子となっている。
【００３６】
また、下部電極基板２０は、図８に示すように下部電極基板２０を構成する４辺の端部において、透明導電膜２４０上に矩形環状の電極２３が設けられている。電極２３は、例えば、Ａｇ又はＡｇ−Ｃ製の抵抗膜で構成されており、４つの頂点部ＬＬ、ＬＲ、ＵＬ、ＵＲには、各頂点部の電位を制御するために引出線が接続されている。この引出線は、下部電極基板２０の周囲より引出され、図６に示すように、下部電極基板２０の長手方向の一方の端部においてフレキシブル基板２６０に接続されている。
【００３７】
フレキシブル基板２６０の端子２６０Ａは駆動回路５１に接続されており、更に不図示のホストコンピュータに接続されている。尚、透明導電膜２３０及び透明導電膜２４０を構成する材料としては、ＩＴＯ（Indium Tin Oxide）、ＺｎＯ（酸化亜鉛）にＡｌまたはＧａ等が添加された材料、ＳｎＯ２（酸化スズ）にＳｂ等が添加された材料等が挙げられる。
【００３８】
また、フィルム２１０は、ＰＥＴ（ポリエチレンテレフタレート：polyethylene terephthalate）、ＰＣ（ポリカーボネート：Polycarbonate）及び、可視領域において透明の樹脂材料が挙げられる。更に、ガラス基板２２０に代えて、樹脂基板を用いてもよい。
【００３９】
比較例のタッチパネルは、上部電極基板１０を指等により押すことにより、上部電極基板１０における透明導電膜２３０と、下部電極基板２０における透明導電膜２４０とが接触し、接触した位置における電圧を検知することにより、上部電極基板１０と下部電極基板２０との接触位置、即ち、上部電極基板１０が指等により押された位置が特定される。具体的には、上部電極基板１０において、分割された透明導電膜２３０の各々について時分割による走査がされており、接触したタイミングにより接触位置が含まれる導電領域を特定することができる。
【００４０】
尚、下部電極基板２０における透明導電膜２４０上に設けられた矩形環状の電極２３の頂点部ＬＬ、ＬＲ、ＵＬ、ＵＲに駆動回路５１から印加する電圧を制御することにより、Ｘ軸方向、Ｙ軸方向に交互に電圧が印加されるように構成されている。
【００４１】
このように、上部電極基板１０において透明導電膜２３０を分割し導電領域を形成することにより、上部電極基板１０と下部電極基板２０とが接触した接触位置が複数であっても、分割された透明導電膜２３０の導電領域毎に接触位置を座標検出回路５０で特定することができるため、各々の接触位置を独立して検出することが可能である。
【００４２】
即ち、図８に示すように、上部電極基板１０における透明導電膜２３０と下部電極基板２０における透明導電膜２４０との接触位置が、矢印Ａ、Ｂ、Ｃ、Ｄ、Ｅに示すように５つの場合であっても、各々の接触位置は、分割された透明導電膜２３０の領域が異なるため、各々独立して接触位置が検出することが可能なのである。具体的には、上部電極基板１０と下部電極基板２０との接触位置が矢印Ａに示す位置である場合、透明導電膜２３０の導電領域２３０ａにおいて接触しており、接触位置が矢印Ｂに示す位置である場合、透明導電膜２３０の導電領域２３０ｂにおいて接触しており、接触位置が矢印Ｃに示す位置である場合、透明導電膜２３０の導電領域２３０ｃにおいて接触しており、接触位置が矢印Ｄに示す位置である場合、透明導電膜２３０の導電領域２３０ｄにおいて接触しており、接触位置が矢印Ｅに示す位置である場合、透明導電膜２３０の導電領域２３０ｅにおいて接触しているが、透明導電膜２３０の導電領域２３０ａ、２３０ｂ、２３０ｃ、２３０ｄ、２３０ｅは相互に絶縁された異なる領域であることから、各々を独立して検出することができる。よって、上部電極基板１０と下部電極基板２０との接触位置が５つの場合であっても、各々の接触位置を特定することが可能である。
【００４３】
以上より、透明導電膜２３０と透明導電膜２４０との接触位置が複数であっても、接触した導電領域を特定することができるとともに、透明導電膜２４０における電位分布を検出することにより、より正確に座標位置も検出することが可能である。また、透明導電膜２３０と透明導電膜２４０との接触位置を移動させた場合においても、接触位置が移動したことを認識することができるとともに、透明導電膜２４０における電位分布を検出することにより、移動した接触位置の位置座標を検出することも可能である。
【００４４】
図９は、比較例のフレキシブル基板２６０を示す図である。図９（Ａ１）〜（Ａ６）はフレキシブル基板２６０を各層に分解した平面図、図９（Ｂ）は図９（Ａ１）〜（Ａ６）におけるＡ−Ａ断面を示す図である。フレキシブル基板２６０は、４線式のタッチパネル用のフレキシブル基板である。
【００４５】
図９（Ｂ）に示すように、フレキシブル基板２６０は、カバーフィルム２６１、接着層２６２、配線部２６３、接着層２６４、ベースフィルム２６５、接着層２６６、配線部２６７、接着層２６８、カバーフィルム２６９、及び補強部２７０を含む。
【００４６】
カバーフィルム２６１、接着層２６２、配線部２６３、接着層２６４、ベースフィルム２６５、接着層２６６、配線部２６７、及びカバーフィルム２６９は、この順に積層されており、補強部２７０は、カバーフィルム２６１の表面に接着されている。
【００４７】
カバーフィルム２６１は、フレキシブル基板２６０の一方の面（図中における下面）を被覆するフレキシブルフィルムであり、例えば、ポリイミド製のフィルムで構成される。カバーフィルム２６１は、接着層２６２によって配線部２６３に接着されている。カバーフィルム２６１は、図９（Ａ５）に示すように、平面視でＴ字型である。
【００４８】
接着層２６２は、例えば、アクリル系又はエポキシ系の接着剤で構成され、カバーフィルム２６１と配線部２６３を接着する。なお、接着層２６２は、補強部２７０の上側において、接着層２６４と接着されている。
【００４９】
配線部２６３は、例えば、銅箔で構成され、タッチパネル２００の導電膜と座標検出回路５０を有する駆動回路５１とを接続する配線である。配線部２６３は、図９（Ａ４）に示すように、４本の配線部２６３Ａ、２６３Ｂ、２６３Ｃ、２６３Ｄで構成されている。
【００５０】
配線部２６３Ａ〜２６３Ｄのうち、配線部２６３Ａ、２６３Ｃはダミーである。配線部２６３Ｂ、２６３Ｄは、図中の右端でスルーホール２７１により、それぞれ、図９（Ａ２）に示す配線部２６７Ｅ、２６７Ｆに接続されている。
【００５１】
接着層２６４は、例えば、アクリル系又はエポキシ系の接着剤で構成され、配線部２６３とベースフィルム２６５を接着する。
【００５２】
ベースフィルム２６５は、フレキシブル基板２６０の基材となるフィルムであり、例えば、ポリイミド製のフィルムで構成される。ベースフィルム２６５の両面には、それぞれ、接着層２６４、２６６を介して、配線部２６３、２６７が接着されている。なお、ベースフィルム２６５は、補強部２７０の上側において、接着層２６２、２６４によりカバーフィルム２６１と接着されており、また、図９（Ｂ）に示す断面の中央部において、接着層２６６、２６８により、カバーフィルム２６９と接着されている。ベースフィルム２６５は、図９（Ａ３）に示すように、平面視でＴ字型である。
【００５３】
接着層２６６は、例えば、アクリル系又はエポキシ系の接着剤で構成され、ベースフィルム２６５と配線部２６７を接着している。接着層２６６は、図９（Ｂ）に示す中央部において、ベースフィルム２６５とカバーフィルム２６９を接続している。
【００５４】
配線部２６７は、例えば、銅箔で構成され、タッチパネル２００の導電膜と座標検出回路５０を有する駆動回路５１とを接続する配線である。配線部２６７は、図９（Ａ２）に示すように、配線部２６７Ａ、２６７Ｂ、２６７Ｃ、２６７Ｄ、２６７Ｅ、２６７Ｆで構成されている。
【００５５】
配線部２６７Ｅ、２６７Ｆは、図中の右端でスルーホール２７１により、それぞれ、図９（Ａ４）に示す配線部２６３Ｂ、２６３Ｄに接続されている。
【００５６】
図９（Ａ２）に破線で示す部分は、フレキシブル基板２６０のコネクタ部Ｃであり、駆動回路５１に接続される。
【００５７】
接着層２６８は、配線部２６７とカバーフィルム２６９とを接着している。
【００５８】
カバーフィルム２６９は、フレキシブル基板２６０の一方の面（図中における上面）を被覆するフレキシブルフィルムであり、例えば、ポリイミド製のフィルムで構成される。カバーフィルム２６９は、接着層２６６によって配線部２６７とベースフィルム２６５に接着されている。カバーフィルム２６９は、図９（Ａ１）に示すように、平面視でＴ字型である。
【００５９】
フレキシブル基板２６０には、スルーホール２７１が形成されている。スルーホール２７１は、図９（Ａ２）に示す配線部２６７と、図９（Ａ４）に示す配線部２６３とを接続しており、図９（Ｂ）に示すように、配線部２６３、接着層２６４、ベースフィルム２６５、接着層２６６、配線部２６７を貫通している。スルーホール２７１の内壁には円筒状の銅箔が形成され、配線部２６３と配線部２６７との層間接続を実現している。
【００６０】
補強部２７０は、カバーフィルム２６１の一端（図９（Ｂ）中における右端）の下に接着されている（図９（Ａ６）参照）。補強部２７０は、例えば、ウレタンゴムで構成されている。
【００６１】
図９（Ｂ）に示すフレキシブル基板２６０は、図中の左端側がタッチパネル２００（図１、２参照）のフィルム２１０とガラス基板２２０の間に圧着される。
【００６２】
配線部２６７Ａ、２６７Ｃは、それぞれ、左端側がタッチパネル２００の透明電極２３０の端部の向かい合う２辺に設けられた電極２３１、２３２（図３参照）に接続される。また、配線部２６３Ｂ、２６３Ｃは、それぞれ、左端側が透明導電膜２４０の端部の向かい合う２辺に設けられた電極２４１、２４２（図３参照）に接続される。
【００６３】
また、フレキシブル基板２６０の右端側は駆動回路５１に接続されるコネクタ部Ｃになっている。コネクタ部Ｃは、配線部２６７Ａ、２６７Ｃ、２６７Ｅ、２６７Ｆの端部を端子として利用したものであり、上側だけに端子を有する片面端子である。コネクタ部Ｃは駆動回路５１に接続される。
【００６４】
配線部２６３、２６７は、４線式のタッチパネル２００の座標検出用の配線を構成している。
【００６５】
コネクタ部Ｃは、フレキシブル基板２６０の補強部２７０により補強されている。
【００６６】
図１０は、比較例の５線式のタッチパネル用のフレキシブル基板を示す図である。図１０（Ａ）は、タッチパネル２００の透明導電膜２３０に接続される配線部を示す図であり、図１０（Ｂ）は、タッチパネル２００の断面構造であり、図１０（Ｃ）は、タッチパネル２００の透明導電膜２４０に接続される配線部を示す図である。図１０（Ｂ）は、図１０（Ａ）、（Ｃ）におけるＢ−Ｂ断面を示す図である。
【００６７】
図１０（Ａ）〜（Ｃ）には、それぞれ、図９（Ａ２）、図９（Ｂ）、図９（Ａ４）に対応する配線部と断面構造を示す。なお、図９に示すフレキシブル基板２６０の構成要素と同様の構成要素には同一符号を付し、その説明を省略する。
【００６８】
図１０（Ｂ）に示すように、フレキシブル基板２８０は、カバーフィルム２６１、接着層２８１、配線部２８２、ベースフィルム２６５Ａ、接着層２８３、配線部２８４、接着層２８５、ベースフィルム２６５Ｂ、配線部２８６、接着層２８７、カバーフィルム２６９、及び補強部２７０を含む。
【００６９】
カバーフィルム２６１は、フレキシブル基板２８０の一方の面（図中における下面）を被覆するフレキシブルフィルムであり、例えば、ポリイミド製のフィルムで構成される。カバーフィルム２６１は、接着層２８１によって配線部２８２に接着されている。
【００７０】
接着層２８１は、例えば、アクリル系又はエポキシ系の接着剤で構成され、カバーフィルム２６１と配線部２８２を接着する。なお、接着層２８１は、補強部２７０の上側において、接着層２８３と接着されている。
【００７１】
配線部２８２は、例えば、銅箔で構成され、５線式のタッチパネル２００の透明導電膜２３０と座標検出回路５０を有する駆動回路５１とを接続する配線である。配線部２８２は、図１０（Ｃ）に示すように、配線部２８２Ａ、２８２Ｂ、２８２Ｃで構成されている。
【００７２】
配線部２８２Ａ〜２８２Ｃのうち、配線部２８２Ａ、２８２Ｃはダミーである。配線部２８２Ｂは、図中の右端でスルーホール２７１により、図１０（Ａ）に示す配線部２８６Ｅに接続されている。
【００７３】
ベースフィルム２６５Ａは、フレキシブル基板２８０の基材となるフィルムであり、例えば、ポリイミド製のフィルムで構成される。ベースフィルム２６５Ａの下側の面には配線部２８２が形成されており、上側の面は、接着層２８３を介して、配線部２８４が接着されている。
【００７４】
接着層２８３は、例えば、アクリル系又はエポキシ系の接着剤で構成され、ベースフィルム２６５Ａと配線部２８４とを接着している。
【００７５】
配線部２８４は、上面側と下面側がそれぞれ、接着層２８３、２８５により、ベースフィルム２６５Ａ、２６５Ｂに接着されている。なお、配線部２８４は、スルーホール２７１には接続されていない。
【００７６】
接着層２８５は、例えば、アクリル系又はエポキシ系の接着剤で構成され、配線部２８４とベースフィルム２６５Ｂとを接着している。
【００７７】
ベースフィルム２６５Ｂは、フレキシブル基板２８０の基材となるフィルムであり、ベースフィルム２６５Ａと同様に、例えば、ポリイミド製のフィルムで構成される。ベースフィルム２６５Ｂの上側の面には配線部２８６が形成されており、下側の面は、接着層２８５を介して、配線部２８４が接着されている。
【００７８】
配線部２８６は、例えば、銅箔で構成され、５線式のタッチパネル２００の透明導電膜２４０と座標検出回路５０を有する駆動回路５１とを接続する配線である。配線部２８６は、図１０（Ａ）に示すように、配線部２８６Ａ、２８６Ｂ、２８６Ｃ、２８６Ｄ、２８６Ｅで構成されている。
【００７９】
配線部２８２Ｅは、図中の右端でスルーホール２７１により、図１０（Ｃ）に示す配線部２８２Ｂに接続されている。
【００８０】
配線部２８６Ａ、２８６Ｂ、２８６Ｃ、２８６Ｄは、それぞれ、透明導電膜２４０の端部の４辺に設けられた電極２４１、２４２、２４３、２４４に接続されている。
【００８１】
接着層２８７は、例えば、アクリル系又はエポキシ系の接着剤で構成され、配線部２８６とカバーフィルム２６９とを接着している。
【００８２】
カバーフィルム２６９、フレキシブル基板２８０の一方の面（図中における上面）を被覆するフレキシブルフィルムであり、例えば、ポリイミド製のフィルムで構成される。カバーフィルム２６９は、接着層２８７によって配線部２８６に接着されている。
【００８３】
補強部２７０は、カバーフィルム２６１の一端（図１０（Ｂ）中における右端）の下に接着されている。補強部２７０は、例えば、ウレタンゴムで構成されている。
【００８４】
図１０（Ｂ）に示すフレキシブル基板２８０は、図中の左端側がタッチパネル２００（図１、２参照）のフィルム２１０とガラス基板２２０の間に圧着される。
【００８５】
配線部２８２、２８６は、５線式のタッチパネル２００の座標検出用の配線を構成している。
【００８６】
コネクタ部Ｃは、フレキシブル基板２８０の補強部２７０により補強されている。
【００８７】
フレキシブル基板２８０は、図１０（Ａ）に示す配線部２８６Ａ、２８６Ｂ、２８６Ｃ、２８６Ｄ、２８６Ｅの端部をコネクタ部Ｃとして利用したものであり、上側だけに端子を有する片面端子である。
【００８８】
ところで、図９及び図１０に示す比較例のフレキシブル基板２６０、２８０は、コネクタ部Ｃの近傍にスルーホール２７１が形成されているため、コネクタ部Ｃにフレキシブル基板２６０、２８０を折り曲げる方向の応力がかかると、スルーホール２７１、又はスルーホール２７１と配線部との接続部等において、断線等が生じ、電気的接続が確保できなくなる場合があった。
【００８９】
電気的接続が確保できなくなると、フレキシブル基板２６０又は２８０によって駆動回路５１に接続されているタッチパネル２００が正常に動作しなくなる場合があった。
【００９０】
以上のように、比較例のフレキシブル基板２６０、２８０は、スルーホール２７１が形成されることにより、折り曲げに弱く、配線部の電気的接続が確保できなくなり、タッチパネル２００の動作不良に繋がる場合があった。
【００９１】
このため、以下で説明する実施の形態では、上述の課題を解決したフレキシブル基板を提供することを目的とする。
【００９２】
＜実施の形態１＞
図１１は、実施の形態１のフレキシブル基板１００を示す図である。図１１（Ａ１）〜（Ａ７）はフレキシブル基板１００を各層に分解した平面図、図１１（Ｂ）は図１１（Ａ１）〜（Ａ７）におけるＣ−Ｃ断面を示す図である。フレキシブル基板１００は、４線式のタッチパネル用のフレキシブル基板である。
【００９３】
図１１（Ｂ）に示すように、フレキシブル基板１００は、カバーフィルム１０１、接着層１０２、配線部１０３、接着層１０４、ベースフィルム１０５、接着層１０６、補強部１２０、接着層１０７、ベースフィルム１０８、接着層１０９、配線部１１０、接着層１１１、及びカバーフィルム１１２を含む。
【００９４】
カバーフィルム１０１、接着層１０２、配線部１０３、接着層１０４、ベースフィルム１０５、接着層１０６、補強部１２０、接着層１０７、ベースフィルム１０８、接着層１０９、配線部１１０、接着層１１１、及びカバーフィルム１１２は、この順に積層されている。
【００９５】
以下では、比較例のタッチパネル２００（図１乃至図４参照）を援用して説明を行う。
【００９６】
図１１（Ｂ）に示すフレキシブル基板１００は、図中の左端側がタッチパネル２００（図１、２参照）のフィルム２１０とガラス基板２２０の間に圧着される。
【００９７】
カバーフィルム１０１は、フレキシブル基板１００の一方の面（図中における下面）を被覆するフレキシブルフィルムであり、例えば、ポリイミド製のフィルムで構成される。カバーフィルム１０１は、接着層１０２によって配線部１０３に接着されている。カバーフィルム１０１は、図１１（Ａ７）に示すように、平面視でＴ字型である。
【００９８】
カバーフィルム１０１の全長は、フレキシブル基板１００の全長Ａ１よりも短いＡ２に設定されており、図１１中の左側において、フレキシブル基板１００よりも長さＡ２だけ短くされるとともに、図１１中の右側において、フレキシブル基板１００よりも長さＡ４だけ短くされている。これは、配線部１０３を露出させるためである。
【００９９】
接着層１０２は、例えば、アクリル系又はエポキシ系の接着剤で構成され、カバーフィルム１０１と配線部１０３を接着する。
【０１００】
配線部１０３は、例えば、銅箔で構成され、タッチパネル２００の透明導電膜２４０と座標検出回路５０を有する駆動回路５１とを接続する配線である。配線部１０３は、図１１（Ａ６）に示すように、４本の配線部１０３Ａ、１０３Ｂ、１０３Ｃ、１０３Ｄで構成されている。
【０１０１】
配線部１０３Ａ〜１０３Ｄのうち、配線部１０３Ａ、１０３Ｃはダミーである。配線部１０３Ｂ、１０３Ｄは、図１１（Ａ６）に示すように、左側から右側まで延在しており、フレキシブル基板１００の全長Ａ１と略同じ長さを有する。配線部１０３Ａ〜１０３Ｄの右側の破線で示す部分は、コネクタ部１３０Ａになる。
【０１０２】
接着層１０４は、例えば、アクリル系又はエポキシ系の接着剤で構成され、配線部１０３とベースフィルム１０５を接着する。
【０１０３】
ベースフィルム１０５は、フレキシブル基板１００の基材となるフィルムであり、例えば、ポリイミド製のフィルムで構成される。ベースフィルム１０５の下側の面には、接着層１０４を介して配線部１０３が接着されている。ベースフィルム１０５の上側の面の右側の部分には、接着層１０６を介して補強部１２０が接着されている。また、ベースフィルム１０５の上側の補強部１２０と接着されない部分は、接着層１０７を介してベースフィルム１０８と接着されている。ベースフィルム１０５は、図１１（Ａ５）に示すように、平面視でＴ字型である。
【０１０４】
接着層１０６は、例えば、アクリル系又はエポキシ系の接着剤で構成され、右側の部分でベースフィルム１０５と補強部１２０を接着している。接着層１０６は、ベースフィルム１０５と補強部１２０を接着する右側の部分を除く部分においては、接着層１０７と接着されている。
【０１０５】
補強部１２０は、フレキシブル基板１００のコネクタ部１３０Ａになる右端側において、接着層１０６及び接着層１０７により、それぞれ、ベースフィルム１０５及びベースフィルム１０８に接着されている。
【０１０６】
補強部１２０は、コネクタ部１３０Ａを補強するために設けられており、例えば、ウレタンゴムで構成される。
【０１０７】
補強部１２０の右端は、図１１（Ｂ）に示すように、配線部１０３、接着層１０４、ベースフィルム１０５、接着層１０６、接着層１０７、ベースフィルム１０８、接着層１０９、及び配線部１１０と面一に構成されている。補強部１２０は、図１１（Ａ４）に示すように、長さＡ５に設定されている。補強部１２０の長さＡ５は、配線部１０３が露出されるコネクタ部１３０Ａの長さＡ４よりも長い。すなわち、補強部１２０と、カバーフィルム１０１、１１２は、長さ方向において、重複部を有する。
【０１０８】
接着層１０７は、例えば、アクリル系又はエポキシ系の接着剤で構成され、右側の部分でベースフィルム１０８と補強部１２０を接着している。接着層１０７は、ベースフィルム１０８と補強部１２０を接着する右側の部分を除く部分においては、接着層１０６と接着されている。
【０１０９】
ベースフィルム１０８は、フレキシブル基板１００の基材となるフィルムであり、例えば、ポリイミド製のフィルムで構成される。ベースフィルム１０８の下側の面のうちの右側の部分には、接着層１０７を介して補強部１２０配線部１０３が接着されている。また、補強部１２０と接着されている以外の部分では、接着層１０７及び接着層１０６を介して、ベースフィルム１０５と接着されている。
【０１１０】
ベースフィルム１０８の上側の面は、接着層１０９を介して配線部１１０に接着されている。ベースフィルム１０８は、図１１（Ａ３）に示すように、平面視でＴ字型である。
【０１１１】
接着層１０９は、例えば、アクリル系又はエポキシ系の接着剤で構成され、ベースフィルム１０８と配線部１１０とを接着している。
【０１１２】
配線部１１０は、例えば、銅箔で構成され、タッチパネル２００の透明導電膜２３０と座標検出回路５０を有する駆動回路５１とを接続する配線である。配線部１１０は、図１１（Ａ２）に示すように、配線部１１０Ａ、１１０Ｂ、１１０Ｃ、１１０Ｄで構成されている。
【０１１３】
配線部１１０Ａ〜１１０Ｄのうち、配線部１１０Ｂ、１１０Ｄはダミーの端子である。配線部１１０Ａ、１１０Ｃは、図１１（Ａ２）に示すように、左側から右側まで延在しており、フレキシブル基板１００の全長Ａ１と略同じ長さを有する。配線部１１０Ａ〜１１０Ｄの右側の破線で示す部分は、コネクタ部１３０Ｂになる。
【０１１４】
接着層１１１は、例えば、アクリル系又はエポキシ系の接着剤で構成され、配線部１１０とカバーフィルム１１２とを接着している。
【０１１５】
カバーフィルム１１２は、フレキシブル基板１００の一方の面（図中における上面）を被覆するフレキシブルフィルムであり、例えば、ポリイミド製のフィルムで構成される。カバーフィルム１１２は、接着層１１１によって配線部１１０に接着されている。カバーフィルム１１２は、図１１（Ａ１）に示すように、平面視でＴ字型である。
【０１１６】
配線部１１０Ａ、１１０Ｃは、それぞれ、コネクタ部１３０Ｂがタッチパネル２００の透明電極２３０の端部の向かい合う２辺に設けられた電極２３１、２３２（図３参照）に接続される。また、配線部１０３Ｂ、１０３Ｃは、それぞれ、コネクタ部１３０Ａが透明導電膜２４０の端部の向かい合う２辺に設けられた電極２４１、２４２（図３参照）に接続される。
【０１１７】
このようにして、配線部１０３、１１０は、４線式のタッチパネル２００の座標検出用の配線を構成している。
【０１１８】
実施の形態１のフレキシブル基板１００は、駆動回路５１に接続される右端側において、上面側にコネクタ部１３０Ｂを有し、下面側にコネクタ部１３０Ａを有する両接点型のフレキシブル基板である。
【０１１９】
また、フレキシブル基板１００は、比較例のフレキシブル基板２６０、２８０のようにスルーホールを含まない。
【０１２０】
このため、コネクタ部１３０Ａ、１３０Ｂにおいてフレキシブル基板１００に折り曲げる方向の応力がかかっても、スルーホールがないため、断線等が生じにくい。
【０１２１】
また、コネクタ部１３０Ａ、１３０Ｂは、それぞれ、配線部１１０、１０３の端部を露出させることによって形成されており、コネクタ部１３０Ａ、１３０Ｂの部分における配線部１１０、１０３の間には、補強部１２０が配設されている。補強部１２０の長さＡ５は、コネクタ部１３０Ａ、１３０Ｂの長さＡ４よりも長い。
【０１２２】
このため、実施の形態１によれば、折り曲げる方向の応力がかかっても断線の生じにくいフレキシブル基板１００を提供することができる。
【０１２３】
また、補強部１２０の長さＡ５は、配線部１０３、１１０が露出されるコネクタ部１３０Ａ、１３０Ｂの長さＡ４よりも長く、補強部１２０と、カバーフィルム１０１、１１２は、長さ方向において、重複部を有する。
【０１２４】
このように補強部１２０とカバーフィルム１０１、１１２が重複部を有することにより、フレキシブル基板１００の曲げ応力に対する強度を向上させることができる。
【０１２５】
また、実施の形態１のフレキシブル基１００を用いれば、信頼性の高いタッチパネルを提供することができる。
【０１２６】
なお、以上では、フレキシブル基板１００が、カバーフィルム１０１、接着層１０２、配線部１０３、接着層１０４、ベースフィルム１０５、接着層１０６、補強部１２０、接着層１０７、ベースフィルム１０８、接着層１０９、配線部１１０、接着層１１１、及びカバーフィルム１１２を含む形態について説明した。
【０１２７】
しかしながら、フレキシブル基板１００は、スルーホールが形成されることなく、ベースフィルム１０５の両面側に配設される配線部１０３、１１０の駆動装置５１に接続される端部を両接点型に露出させた構造であれば、図１０に示す構造に限定されるものではない。
【０１２８】
図１２は、実施の形態１の第１変形例によるフレキシブル基板１００Ａの断面構造を示す図である。
【０１２９】
実施の形態１の第１変形例のフレキシブル基板１００Ａは、補強部１２０のフレキシブル基板１００Ａの内側に位置する端部１２０Ａに、面取り部１２０Ｂ１、１２０Ｂ２を形成した点が図１１に示す実施の形態１のフレキシブル基板１００と異なる。その他の構成は、図１１に示すフレキシブル基板１００と同様である。
【０１３０】
面取り部１２０Ｂ１は、補強部１２０の端部１２０Ａの上面側の角を幅方向（図１１（Ａ４）において、補強部１２０を示す平面内において長さＡ５と直交する方向）にわたって形成されている。
【０１３１】
面取り部１２０Ｂ２は、補強部１２０の端部１２０Ａの下面側の角を幅方向（図１１（Ａ４）において、補強部１２０を示す平面内において長さＡ５と直交する方向）にわたって形成されている。
【０１３２】
このように、補強部１２０のフレキシブル基板１００Ａの内側に位置する端部１２０Ａに面取り部１２０Ｂ１、１２０Ｂ２を形成することにより、折れ曲がる方向の応力がかかっても、断線がさらに生じにくいフレキシブル基板１００Ａを提供することができる。
【０１３３】
図１３は、実施の形態１の第２変形例による補強部１２０Ｃの平面構造を示す図である。図１３は、図１１（Ａ４）に対応する平面図である。
【０１３４】
実施の形態１の第２変形例の補強部１２０Ｃを説明するにあたり、図１１に示す実施の形態１のフレキシブル基板１００を援用する。
【０１３５】
第２変形例による補強部１２０Ｃは、フレキシブル基板１００の内側に位置する端部１２０Ｄが平面視で波形に形成されている。
【０１３６】
図１３には、波形に形成された端部１２０Ｄを示すが、端部１２０Ｄは両端１２０Ｄ１、１２０Ｄ２が丸められて曲線状に形成されていれば、図１３に示す波形に限られるものではない。
【０１３７】
このように、補強部１２０Ｃのフレキシブル基板１００の内側に位置する端部１２０Ｄを曲線状に形成することにより、折れ曲がる方向の応力がかかっても、断線がさらに生じにくいフレキシブル基板１００を提供することができる。
【０１３８】
＜実施の形態２＞
図１４は、実施の形態２の５線式のタッチパネル用のフレキシブル基板を示す図である。図１４（Ａ）は、タッチパネル２００の透明導電膜２３０に接続される配線部を示す図であり、図１４（Ｂ）は、タッチパネル２００の断面構造であり、図１４（Ｃ）は、タッチパネル２００の透明導電膜２４０に接続される配線部を示す図である。図１４（Ｂ）は、図１４（Ａ）、（Ｃ）におけるＤ−Ｄ断面を示す図である。
【０１３９】
図１４（Ａ）〜（Ｃ）には、それぞれ、図１０（Ａ）、図１０（Ｂ）、図１０（Ｃ）に対応する配線部と断面構造を示す。
【０１４０】
図１４（Ｂ）に示すように、フレキシブル基板１５０は、カバーフィルム１５１、接着層１５２、配線部１５３、ベースフィルム１５４、接着層１５５、補強部１７０、接着層１５６、ベースフィルム１５７、配線部１５８、接着層１５９、及びカバーフィルム１６０を含む。
【０１４１】
カバーフィルム１５１は、フレキシブル基板１５０の一方の面（図中における下面）を被覆するフレキシブルフィルムであり、例えば、ポリイミド製のフィルムで構成される。カバーフィルム１５１は、接着層１５２によって配線部１５３に接着されている。
【０１４２】
接着層１５２は、例えば、アクリル系又はエポキシ系の接着剤で構成され、カバーフィルム１５１と配線部１５３を接着する。
【０１４３】
配線部１５３は、例えば、銅箔で構成され、５線式のタッチパネル２００の透明導電膜２３０と座標検出回路５０を有する駆動回路５１とを接続する配線である。配線部１５３は、図１４（Ｃ）に示すように、配線部１５３Ａ、１５３Ｂ、１５３Ｃで構成されている。
【０１４４】
配線部１５３Ａ〜１５３Ｃのうち、配線部１５３Ａ、１５３Ｃはダミーである。配線部１５３Ｂは、図１４（Ｃ）に示すように、左側から右側まで延在しており、フレキシブル基板１５０の全長Ａ１と略同じ長さを有する。配線部１５３Ｂの右側の破線で示す部分は、コネクタ部１８０Ａになる。
【０１４５】
ベースフィルム１５４は、フレキシブル基板１５０の基材となるフィルムであり、例えば、ポリイミド製のフィルムで構成される。ベースフィルム１５４の下側の面には配線部１５３が形成されており、上側の面には接着層１５５が接着されている。
【０１４６】
接着層１５５は、例えば、アクリル系又はエポキシ系の接着剤で構成され、下側の面がベースフィルム１５４に接着されている。接着層１５５の上側の面の右側の部分は、補強部１７０に接着されており、補強部１７０が接着されていない部分は、接着層１５６と接着されている。
【０１４７】
補強部１７０は、フレキシブル基板１５０のコネクタ部１８０Ａになる右端側において、接着層１５５及び接着層１５６により、それぞれ、ベースフィルム１５４及びベースフィルム１５７に接着されている。
【０１４８】
補強部１７０は、コネクタ部１８０Ａを補強するために設けられており、例えば、ウレタンゴムで構成される。
【０１４９】
補強部１７０の右端は、図１４（Ｂ）に示すように、配線部１５３、ベースフィルム１５４、接着層１５５、接着層１５６、ベースフィルム１５７、配線部１５８と面一に構成されている。補強部１７０は、図１４（Ｂ）に示すように、長さＡ５に設定されている。補強部１２０の長さＡ５は、配線部１０３が露出されるコネクタ部１８０Ａの長さＡ４よりも長い。
【０１５０】
接着層１５６、例えば、アクリル系又はエポキシ系の接着剤で構成される。接着層１５６の上面はベースフィルム１５７と接着され、下面の右側の部分は補強部１７０と接着される。接着層１５６の下面は、補強部１７０を接着する右側の部分を除く部分においては、接着層１５５と接着されている。
【０１５１】
ベースフィルム１５７は、フレキシブル基板１５０の基材となるフィルムであり、ベースフィルム１５４と同様に、例えば、ポリイミド製のフィルムで構成される。ベースフィルム１５７の上側の面には配線部１５８が形成されており、下側の面は、接着層１５６に接着されている。
【０１５２】
配線部１５８は、例えば、銅箔で構成され、５線式のタッチパネル２００の透明導電膜２４０と座標検出回路５０を有する駆動回路５１とを接続する配線である。配線部１５８は、図１４（Ａ）に示すように、配線部１５８Ａ、１５８Ｂ、１５８Ｃ、１５８Ｄで構成されている。
【０１５３】
配線部１５８Ａ、１５８Ｂ、１５８Ｃ、１５８Ｄは、それぞれ、透明導電膜２４０の端部の４辺に設けられた電極２４１、２４２、２４３、２４４に接続されている。
【０１５４】
配線部１５８Ａ、１５８Ｂ、１５８Ｃ、１５８Ｄは、図１４（Ａ）に示すように、左側から右側まで延在しており、フレキシブル基板１５０の全長Ａ１と略同じ長さを有する。配線部１５８Ａ、１５８Ｂ、１５８Ｃ、１５８Ｄの右側の破線で示す部分は、コネクタ部１８０Ｂになる。
【０１５５】
接着層１５９は、例えば、アクリル系又はエポキシ系の接着剤で構成され、配線部１５８とカバーフィルム１６０とを接着している。
【０１５６】
カバーフィルム１６０は、フレキシブル基板１５０の一方の面（図中における上面）を被覆するフレキシブルフィルムであり、例えば、ポリイミド製のフィルムで構成される。カバーフィルム１６０は、接着層１５９によって配線部１５８に接着されている。
【０１５７】
図１４（Ｂ）に示すフレキシブル基板１５０は、図中の左端側がタッチパネル２００（図１、２参照）のフィルム２１０とガラス基板２２０の間に圧着される。
【０１５８】
配線部１５３Ｂ、配線部１５８Ａ、１５８Ｂ、１５８Ｃ、１５８Ｄは、５線式のタッチパネル２００の座標検出用の配線を構成している。
【０１５９】
実施の形態２のフレキシブル基板１５０は、駆動回路５１に接続される右端側において、上面側にコネクタ部１８０Ｂを有し、下面側にコネクタ部１８０Ａを有する両接点型のフレキシブル基板である。
【０１６０】
また、フレキシブル基板１５０は、比較例のフレキシブル基板２６０、２８０のようにスルーホールを含まない。
【０１６１】
このため、コネクタ部１８０Ａ、１８０Ｂにおいてフレキシブル基板１５０に折り曲げる方向の応力がかかっても、スルーホールがないため、断線等が生じにくい。
【０１６２】
また、コネクタ部１８０Ａ、１８０Ｂは、それぞれ、配線部１５３Ｂ、配線部１５８Ａ、１５８Ｂ、１５８Ｃ、１５８Ｄの端部を露出させることによって形成されており、コネクタ部１８０Ａ、１８０Ｂの部分における配線部１５３Ｂ、配線部１５８Ａ、１５８Ｂ、１５８Ｃ、１５８Ｄの間には、補強部１７０が配設されている。補強部１７０の長さＡ５は、コネクタ部１８０Ａ、１８０Ｂの長さＡ４よりも長い。
【０１６３】
このため、実施の形態２によれば、折り曲げる方向の応力がかかっても断線の生じにくいフレキシブル基板１５０を提供することができる。
【０１６４】
また、補強部１７０の長さＡ５は、配線部１５３、１５８が露出されるコネクタ部１８０Ａ、１８０Ｂの長さＡ４よりも長く、補強部１７０と、カバーフィルム１５１、１６０は、長さ方向において、重複部を有する。
【０１６５】
このように補強部１７０とカバーフィルム１５１、１６０が重複部を有することにより、フレキシブル基板１５０の曲げ応力に対する強度を向上させることができる。
【０１６６】
また、実施の形態２のフレキシブル基１５０を用いれば、信頼性の高いタッチパネルを提供することができる。
【０１６７】
なお、実施の形態２のフレキシブル基板１５０は、実施の形態１のフレキシブル基板１００と同様に、補強部１７０のフレキシブル基板１５０の内側に位置する端部に面取り部を形成してもよいし、曲線状に形成してもよい。
【０１６８】
また、以上では５線式のフレキシブル基板について説明したが、図５に示すように透明導電膜が複数の導電領域に分割されているタッチパネルに用いる場合は、配線部１５３Ｂの本数を導電領域の数に合わせて複数も受ければよい。
【０１６９】
以上、本発明の例示的な実施の形態のフレキシブル基板、及び、タッチパネルについて説明したが、本発明は、具体的に開示された実施の形態に限定されるものではなく、特許請求の範囲から逸脱することなく、種々の変形や変更が可能である。
【符号の説明】
【０１７０】
１００  フレキシブル基板
１０１  カバーフィルム
１０２  接着層
１０３  配線部
１０３Ａ、１０３Ｂ、１０３Ｃ、１０３Ｄ  配線部
１０４  接着層
１０５  ベースフィルム
１０６  接着層
１０７  接着層
１０８  ベースフィルム
１０９  接着層
１１０  配線部
１１１  接着層
１１２  カバーフィルム
１３０Ａ  コネクタ部
１１０Ａ、１１０Ｂ、１１０Ｃ、１１０Ｄ  配線部
１２０  補強部
１３０Ｂ  コネクタ部
１２０Ｂ１  面取り部
１２０Ｂ２  面取り部
１２０Ｄ  端部
１５０  フレキシブル基板
１５１  カバーフィルム
１５２  接着層
１５３  配線部
１５４  ベースフィルム
１５５  接着層
１７０  補強部
１５６  接着層
１５７  ベースフィルム
１５８  配線部
１５９  接着層
１６０  カバーフィルム
１５３Ａ、１５３Ｂ、１５３Ｃ  配線部
１５８Ａ、１５８Ｂ、１５８Ｃ、１５８Ｄ  配線部
１８０Ｂ  コネクタ部
１８０Ａ  コネクタ部
２００  タッチパネル
【図１】
2013041476.tif 000003
【図２】
2013041476.tif 000004
【図３】
2013041476.tif 000005
【図４】
2013041476.tif 000006
【図５】
2013041476.tif 000007
【図６】
2013041476.tif 000008
【図７】
2013041476.tif 000009
【図９】
2013041476.tif 000010
【図１０】
2013041476.tif 000011
【図１１】
2013041476.tif 000012
【図１２】
2013041476.tif 000013
【図１３】
2013041476.tif 000014
【図１４】
2013041476.tif 000015
【図８】
2013041476.tif 000016